(57)【要約】【課題】被写体が白飛びした画像や被写体の色が変わった画像を撮影してしまうことを少なくすることができる携帯電子機器及びその制御方法を提供することにある。【解決手段】筐体と、筐体に設けられて、画像を撮影する撮影部と、筐体に設けられて、被写体に向けて光を出射する光出射部と、測距部と、光出射部から出射される光量を制御する処理部と、を備え、撮影部は、レンズを移動させることで合焦するオートフォーカス機構を有し、処理部は、測距部及びオートフォーカス機構の双方が検出する筐体と被写体との間の距離に基づいて光出射部から出射される光量を制御することで、上記課題を解決する。【選択図】図３
2014187663.tif 000002
【特許請求の範囲】
【請求項１】
筐体と、
前記筐体に設けられて、画像を撮影する撮影部と、
前記筐体に設けられて、被写体に向けて光を出射する光出射部と、
測距部と、
前記光出射部から出射される光量を制御する処理部と、
を備え、
前記撮影部は、レンズを移動させることで合焦するオートフォーカス機構を有し、
前記処理部は、前記測距部及び前記オートフォーカス機構の双方が検出する前記筐体と被写体との間の距離に基づいて前記光出射部から出射される光量を制御することを特徴とする携帯電子機器。
【請求項２】
前記処理部は、前記測距部及び前記オートフォーカス機構の双方が検出する前記筐体と被写体との間の距離、及び撮影領域の明るさの両方に基づいて前記光出射部から出射される光量を制御することを特徴とする請求項１に記載の携帯電子機器。
【請求項３】
筐体と、
前記筐体に設けられて、画像を撮影する撮影部と、
前記筐体に設けられて、被写体に向けて光を出射する光出射部と、
前記筐体と被写体との間の距離又は撮影領域の明るさに基づいて前記光出射部から出射される光量を制御する処理部と、
を備え、
前記処理部は、前記撮影部のフレームレートに同期させて前記光量を制御することを特徴とする携帯電子機器。
【請求項４】
筐体と、前記筐体に設けられ、レンズを移動させることで合焦するオートフォーカス機構を有する撮影部と、前記筐体に設けられ、被写体に向けて光を出射する光出射部と、測距部と、を備える携帯電子機器における制御方法であって、
前記携帯電子機器が、前記測距部及び前記オートフォーカス機構の双方が検出する前記筐体と被写体との間の距離に基づいて前記光出射部から出射される光量を制御する制御方法。
【請求項５】
筐体と、前記筐体に設けられる撮影部と、前記筐体に設けられ、被写体に向けて光を出射する光出射部と、を備える携帯電子機器における制御方法であって、
前記携帯電子機器が、前記筐体と被写体との間の距離又は撮影領域の明るさに基づいて、前記撮影部のフレームレートに同期させて前記光出射部から出射される光量を制御する制御方法。
【発明の詳細な説明】
【技術分野】
【０００１】
本発明は、画像を撮像する機能を備える携帯電子機器及びその制御方法に関する。
【背景技術】
【０００２】
近年、市場に流通している携帯電話機などの電子機器の多くは、撮像機能を有している。特許文献１には、被写体の光学像を電気信号に変換する撮像手段と、被写体の明るさに応じて撮像手段の露出を制御する自動露出制御手段と、自動露出制御手段によって決定される露出の補正を行う露出補正手段と、撮像手段を介して取得された画像内の人物の顔に相当する領域を抽出する顔抽出手段と、顔抽出手段により抽出された顔領域から得られる情報を撮影者に対して提供するアシスト情報提供手段と、を備えた撮像装置が記載されている。
【先行技術文献】
【特許文献】
【０００３】
【特許文献１】特開２００４−２９７２６９号公報
【発明の概要】
【発明が解決しようとする課題】
【０００４】
ところで、撮像装置の中には、照明（モバイルライト）を備えたものがある。このような撮像装置で画像を撮像する場合、モバイルライトの光により被写体が白飛びしてしまうことがある。そのような場合、撮像装置が有する機能である自動露光（ＡＥ：Automatic  Exposure）や自動ホワイトバランス（ＡＷＢ：Auto  White  Balance）によって白飛びの影響を吸収していた。
【０００５】
高価な高性能イメージセンサを備えた撮像装置であれば、上述のように自動露光や自動ホワイトバランスによって白飛びの影響を吸収し、良好な画像を撮像できる可能性がある。しかしながら、安価なイメージセンサを備えた撮像装置では、被写体の明るさがダイナミックレンジを超えてしまったり、イメージセンサの追従性が自動露光や自動ホワイトバランスに対して十分でなかったりし、被写体が白飛びした画像や被写体の色が変わった画像を撮像してしまう。
【０００６】
本発明は、被写体が白飛びした画像や被写体の色が変わった画像を撮影してしまうことを少なくすることができる携帯電子機器及びその制御方法を提供することを目的とする。
【課題を解決するための手段】
【０００７】
上述した課題を解決し、目的を達成するために、本発明に係る携帯電子機器は、筐体と、前記筐体に設けられて、画像を撮影する撮影部と、前記筐体に設けられて、被写体に向けて光を出射する光出射部と、測距部と、前記光出射部から出射される光量を制御する処理部と、を備え、前記撮影部は、レンズを移動させることで合焦するオートフォーカス機構を有し、前記処理部は、前記測距部及び前記オートフォーカス機構の双方が検出する前記筐体と被写体との間の距離に基づいて前記光出射部から出射される光量を制御することを特徴とする。
【０００８】
ここで、前記処理部は、前記測距部及び前記オートフォーカス機構の双方が検出する前記筐体と被写体との間の距離、及び撮影領域の明るさの両方に基づいて前記光出射部から出射される光量を制御することが好ましい。
【０００９】
上述した課題を解決し、目的を達成するために、本発明に係る携帯電子機器は、筐体と、前記筐体に設けられて、画像を撮影する撮影部と、前記筐体に設けられて、被写体に向けて光を出射する光出射部と、前記筐体と被写体との間の距離又は撮影領域の明るさに基づいて前記光出射部から出射される光量を制御する処理部と、を備え、前記処理部は、前記撮影部のフレームレートに同期させて前記光量を制御することを特徴とする。
【００１０】
上述した課題を解決し、目的を達成するために、本発明に係る制御方法は、筐体と、前記筐体に設けられ、レンズを移動させることで合焦するオートフォーカス機構を有する撮影部と、前記筐体に設けられ、被写体に向けて光を出射する光出射部と、測距部と、を備える携帯電子機器における制御方法であって、前記携帯電子機器が、前記測距部及び前記オートフォーカス機構の双方が検出する前記筐体と被写体との間の距離に基づいて前記光出射部から出射される光量を制御する。
【００１１】
上述した課題を解決し、目的を達成するために、本発明に係る制御方法は、筐体と、前記筐体に設けられる撮影部と、前記筐体に設けられ、被写体に向けて光を出射する光出射部と、を備える携帯電子機器における制御方法であって、前記携帯電子機器が、前記筐体と被写体との間の距離又は撮影領域の明るさに基づいて、前記撮影部のフレームレートに同期させて前記光出射部から出射される光量を制御する。
【発明の効果】
【００１２】
本発明の携帯電子機器及びその制御方法によれば、被写体が白飛びした画像や被写体の色が変わった画像を撮影してしまうことを少なくすることができるという効果を奏する。
【図面の簡単な説明】
【００１３】
【図１】図１は、本発明の携帯電子機器の一実施形態の概略構成を示す正面図である。
【図２】図２は、図１に示す携帯電子機器の側面図である。
【図３】図３は、図１、図２に示す携帯電子機器の機能の概略構成を示すブロック図である。
【図４】図４は、携帯電子機器の処理動作の一例を示すフロー図である。
【図５】図５は、携帯電子機器の処理動作の一例を示すフロー図である。
【図６−１】図６−１は、携帯電子機器と被写体との位置関係の一例を示す図である。
【図６−２】図６−２は、携帯電子機器と被写体との位置関係の一例を示す図である。
【図７−１】図７−１は、携帯電子機器と被写体との間の距離と、図３に示すモバイルライトの光量と、の関係を示す図である。
【図７−２】図７−２は、携帯電子機器と被写体との間の距離と、図３に示すモバイルライトの光量と、の関係を示す図である。
【図８】図８は、携帯電子機器の処理動作の一例を示すフロー図である。
【発明を実施するための形態】
【００１４】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例として携帯電話機を取り上げるが、本発明の適用対象は携帯電話機に限定されるものではなく、例えば、ＰＨＳ（Personal  Handy-phone  System）、ＰＤＡ、ポータブルナビゲーション装置、ノートパソコン、ゲーム機等に対しても本発明は適用できる。
【００１５】
図１は、本発明の一実施形態に係る携帯電子機器の概略構成を示す正面図であり、図２は、図１に示す携帯電子機器の側面図である。図１、図２に示す携帯電子機器１０は、無線通信機能と、撮像手段とを有する携帯電話機である。携帯電子機器１０は、筺体１０Ｃが複数の筐体で構成される。具体的には、筺体１０Ｃは、第１筺体１０ＣＡと第２筺体１０ＣＢとで開閉可能に構成される。すなわち、携帯電子機器１０は、折り畳み式の筐体を有する。なお、携帯電子機器１０の筐体は、このような構造に限定されるものではない。例えば、携帯電子機器１０の筐体は、両方の筐体を重ね合わせた状態から一方の筐体と他方の筐体とを互いにスライドできるようにしたスライド式の筐体であってもよいし、重ね合わせ方向に沿う軸線を中心に、一方の筐体を回転させるようにした回転式や、２軸ヒンジを介して両方の筐体を連結したものでもよい。
【００１６】
第１筺体１０ＣＡと第２筺体１０ＣＢとは、連結部であるヒンジ機構１８で連結されている。ヒンジ機構１８で第１筺体１０ＣＡと第２筺体１０ＣＢとを連結することにより、第１筺体１０ＣＡ及び第２筺体１０ＣＢは、ヒンジ機構１８を中心としてともに回動して、互いに遠ざかる方向及び互いに接近する方向（図２の矢印Ｒで示す方向）に回動できるように構成される。第１筺体１０ＣＡと第２筺体１０ＣＢとが互いに遠ざかる方向に回動すると携帯電子機器１０が開き、第１筺体１０ＣＡと第２筺体１０ＣＢとが互いに接近する方向に回動すると携帯電子機器１０が閉じて、折り畳まれた状態となる（図２の点線で示す状態）。
【００１７】
第１筺体１０ＣＡには、表示部として、図１に示すディスプレイ１２が設けられる。ディスプレイ１２は、携帯電子機器１０が受信を待機している状態のときに待ち受け画像を表示したり、携帯電子機器１０の操作を補助するために用いられるメニュー画像を表示したりする。また、第１筺体１０ＣＡには、携帯電子機器１０の通話時に音声を出力する出力手段であるレシーバ１６が設けられる。
【００１８】
第２筺体１０ＣＢには、通話相手の電話番号や、メール作成時等に文字を入力するための操作キー１３Ａが複数設けられ、また、ディスプレイ１２に表示されるメニューの選択及び決定や画面のスクロール等を容易に実行するための方向キー及び決定キー（方向及び決定キー）１３Ｂが設けられる。操作キー１３Ａ及び方向キー及び決定キー１３Ｂは、携帯電子機器１０の操作部１３を構成する。また、第２筺体１０ＣＢには、携帯電子機器１０の通話時に音声を受け取る音声取得手段であるマイク１５が設けられる。操作部１３は、図２に示す、第２筺体１０ＣＢの操作面１０ＰＣに設けられる。操作面１０ＰＣとは反対側の面が、携帯電子機器１０の背面１０ＰＢである。
【００１９】
第２筺体１０ＣＢの内部には、アンテナが設けられている。アンテナは、無線通信に用いる送受信アンテナであり、携帯電子機器１０と基地局との間で通話や電子メール等に係る電波（電磁波）の送受信に用いられる。また、第２筺体１０ＣＢには、マイク１５が設けられる。マイク１５は、図２に示す、携帯電子機器１０の操作面１０ＰＣ側に配置される。
【００２０】
図３は、図１、図２に示す携帯電子機器の機能の概略構成を示すブロック図である。図３に示すように、携帯電子機器１０は、処理部２２と、記憶部２４と、送受信部２６と、操作部１３と、音声処理部３０と、表示部３２と、カメラ４０と、モバイルライト（照明部）４２と、測距センサ４４と、を有する。処理部２２は、携帯電子機器１０の全体的な動作を統括的に制御する機能を有する。すなわち、処理部２２は、携帯電子機器１０の各種の処理が、操作部１３の操作や携帯電子機器１０の記憶部２４に記憶されるソフトウェアに応じて適切な手順で実行されるように、送受信部２６、音声処理部３０、表示部３２、カメラ４０、モバイルライト４２、測距センサ４４等の動作を制御する。
【００２１】
携帯電子機器１０の各種の処理としては、例えば、回線交換網を介して行われる音声通話、電子メールの作成及び送受信、インターネットのＷｅｂ（World  Wide  Web）サイトの閲覧等がある。また、送受信部２６、音声処理部３０、表示部３２等の動作としては、例えば、送受信部２６による信号の送受信、音声処理部３０による音声の入出力、表示部３２による画像の表示等がある。
【００２２】
処理部２２は、記憶部２４に記憶されているプログラム（例えば、オペレーティングシステムプログラム、アプリケーションプログラム等）に基づいて処理を実行する。処理部２２は、例えば、マイクロプロセッサユニット（ＭＰＵ：Micro  Processing  Unit）で構成され、前記ソフトウェアで指示された手順にしたがって上述した携帯電子機器１０の各種の処理を実行する。すなわち、処理部２２は、記憶部２４に記憶されるオペレーティングシステムプログラムやアプリケーションプログラム等から命令コードを順次読み込んで処理を実行する。
【００２３】
処理部２２は、複数のアプリケーションプログラムを実行する機能を有する。処理部２２が実行するアプリケーションプログラムとしては、例えば、カメラ４０の駆動を制御するアプリケーションプログラムや、各種の画像ファイル（画像情報）を記憶部２４から読み出してデコードするアプリケーションプログラム、及びデコードして得られる画像を表示部３２に表示させたりするアプリケーションプログラム等の複数のアプリケーションプログラムがある。
【００２４】
本実施形態において、処理部２２は、カメラ４０の動作を制御するカメラ制御部２２ａ、モバイルライト４２の動作を制御するモバイルライト制御部２２ｂ、測距センサの動作を制御する測距センサ制御部２２ｃ、表示部３２に表示させる画像を加工し、生成する画像処理部２２ｄ、を有する。カメラ制御部２２ａ、モバイルライト制御部２２ｂ、測距センサ制御部２２ｃ、画像処理部２２ｄがそれぞれ有する機能は、処理部２２及び記憶部２４で構成されるハードウェア資源が、処理部２２の制御部が割り当てるタスクを実行することにより実現される。ここで、タスクとは、アプリケーションソフトウェアが行っている処理全体、又は同じアプリケーションソフトウェアが行っている処理のうち、同時に実行できない処理単位である。
【００２５】
記憶部２４には、処理部２２での処理に利用されるソフトウェアやデータが記憶されており、上述した、カメラ４０の駆動を制御するアプリケーションプログラムを作動させるタスクや、画像処理用プログラムを作動させるタスクが記憶されている。また、記憶部２４には、これらのタスク以外にも、例えば、通信、ダウンロードされた音声データ、あるいは記憶部２４に対する制御に処理部２２が用いるソフトウェア、通信相手の電話番号やメールアドレス等が記述されて管理するアドレス帳、発信音や着信音等の音声ファイル、ソフトウェアの処理過程で用いられる一時的なデータ等が記憶されている。
【００２６】
なお、ソフトウェアの処理過程で用いられるコンピュータプログラムや一時的なデータは、処理部２２によって記憶部２４に割り当てられた作業領域へ一時的に記憶される。記憶部２４は、例えば、不揮発性の記憶デバイス（ＲＯＭ：Read  Only  Memory等の不揮発性半導体メモリ、ハードディスク装置等）や、読み書き可能な記憶デバイス（例えば、ＳＲＡＭ：Static  Random  Access  Memory、ＤＲＡＭ：Dynamic  Random  Access  Memory）等で構成される。
【００２７】
送受信部２６は、アンテナ２６ａを有し、基地局によって割り当てられるチャネルを介し、基地局との間でＣＤＭＡ（Code  Division  Multiple  Access）方式などによる無線信号回線を確立し、基地局との間で電話通信及び情報通信を行う。操作部１３は、例えば、電源キー、通話キー、数字キー、文字キー、方向キー、決定キー、発信キー等、各種の機能が割り当てられた操作キー１３Ａと、方向キー及び決定キー１３Ｂとで構成される。そして、これらのキーがユーザの操作により入力されると、その操作内容に対応する信号を発生させる。発生した信号は、ユーザの指示として処理部２２へ入力される。
【００２８】
音声処理部３０は、マイク１５に入力される音声信号やレシーバ１６やスピーカ１７から出力される音声信号の処理を実行する。すなわち、音声処理部３０は、マイク１５から入力される音声を増幅し、ＡＤ変換（Analog  Digital変換）を実行した後、さらに符号化等の信号処理を施して、ディジタルの音声データに変換して処理部２２へ出力する。また、処理部２２から送られる音声データに対して復号化、ＤＡ変換（Digital  Analog変換）、増幅等の処理を施してアナログの音声信号に変換してから、レシーバ１６やスピーカ１７へ出力する。ここで、スピーカ１７は、携帯電子機器１０の筺体１０Ｃ内に配置されており、着信音やメールの送信音等を出力する。
【００２９】
表示部３２は、上述したディスプレイ１２を有しており、処理部２２から供給される映像データに応じた映像や画像データに応じた画像を表示パネルに表示させる。ディスプレイ１２は、例えば、液晶ディスプレイ（ＬＣＤ、Liquid  Crystal  Display）や、有機ＥＬ（Organic  Electro−Luminescence）パネルなどで構成された表示パネルで構成される。なお、表示部３２は、ディスプレイ１２に加え、サブディスプレイを有していてもよい。
【００３０】
カメラ４０は、第２筐体１０ＣＢの背面１０ＰＢに設けられ、画像を取得する撮像機構である。カメラ４０としては、ＣＣＤ（Charge  Coupled  Device）イメージセンサ、ＣＭＯＳ（Complimentary  Metal  Oxide  Semiconductor）イメージセンサ等を備えたものを用いることができる。なお、カメラ４０は、レンズを移動させることで合焦する自動焦点（ＡＦ：Auto  Focus）機構、より好ましくはコンティニュアス自動焦点（Continuous  Auto  Focus）機構を備えることが好ましい。モバイルライト４２は、第２筐体１０ＣＢの背面１０ＰＢに設けられ、被写体に向かって光を出射する照明機構である。モバイルライト４２としては、ＬＥＤ光源、ＬＤ光源、ハロゲンライトを光源として備えたものを用いることができる。測距センサ４４は、第２筐体１０ＣＢの背面１０ＰＢに設けられ、携帯電子機器１０と被写体との間の距離を測定するセンサである。測距センサ４４としては、赤外線ＬＥＤとＰＳＤ（Position  Sensitive  Detector）とを備えたものや、レーザ光源とレーザ光センサとを備えたもの等を用いることができる。携帯電子機器１０は、基本的に以上のような構成である。
【００３１】
次に、図４を用いて携帯電子機器１０の動作、具体的には、カメラ４０による撮影時におけるモバイルライト４２の制御動作について説明する。図４は、カメラ４０による撮影（動画撮影または静止画撮影）時における携帯電子機器１０の第１の処理を示すフロー図である。携帯電子機器１０は、カメラ４０による撮影毎に図４に示す処理を実行する。
【００３２】
まず、処理部２２は、ステップＳ１０として、撮影開始操作が操作者により操作部１３に入力されたら、カメラ４０を制御して撮影を開始する。
【００３３】
次に、処理部２２は、ステップＳ１２として、モバイルライト動作開始操作が操作者により操作部１３に入力されたか否かを判定し、モバイルライト動作開始操作が操作者により操作部１３に入力された（Ｙｅｓ）と判定したら、処理をステップＳ１３に進め、モバイルライト動作開始操作が操作者により操作部１３に入力されていない（Ｎｏ）と判定したら、処理をステップＳ２０に進める。
【００３４】
処理部２２は、ステップＳ１２でモバイルライト動作開始操作が操作者により操作部１３に入力された（Ｙｅｓ）と判定したら、ステップＳ１３として、モバイルライト４２を動作させて点灯させる。
【００３５】
次に、処理部２２は、ステップＳ１４として、カメラ４０内のイメージセンサにより撮影領域の明るさを検知する。より詳細には、処理部２２は、カメラ４０内のイメージセンサのシャッタースピード及びゲインの少なくとも一方により、撮影領域の明るさ（つまり、画像の明るさ）を検知する。例えば、処理部２２は、カメラ４０内のイメージセンサのシャッタースピードが速い場合には撮影領域の明るさが明るい（画像が明るい）と検知することができ、シャッタースピードが遅い場合には撮影領域の明るさが暗い（画像が暗い）と検知する。また、処理部２２は、カメラ４０内のイメージセンサのゲインが高い場合には撮影領域の明るさが明るいと検知し、ゲインが低い場合には撮影領域の明るさが暗いと検知する。なお、処理部２２は、シャッタースピードやゲインに基づいて撮影領域の明るさを検出することに限定されない。例えば、カメラ４０で検出した明るさ情報を取得してもよく、撮影領域の明るさを検出するセンサを別途設けてもよい。
【００３６】
次に、処理部２２は、ステップＳ１６として、モバイルライト４２の光量を制御する。例えば、処理部２２は、画像全体が暗い場合には、被写体が白飛びしたり色が変わってしまったりし易いので、被写体の明るさが撮影に適する明るさになるように、モバイルライト４２の光量を下げる制御を行う。これにより、被写体が白飛びした画像や被写体の色が変わった画像を撮影してしまうことを少なくすることができる。なお、モバイルライト４２の光源として用いるＬＥＤ等の応答性は、処理部２２による制御に十分に追随できる程に速い。また、処理部２２は、画像全体が明るい場合には、被写体が黒潰れし易いので、被写体の明るさが撮影に適する明るさになるように、モバイルライト４２の光量を上げる制御を行う。これにより、被写体が黒潰れした画像を撮影してしまうことを少なくすることができる。
【００３７】
次に、処理部２２は、ステップＳ１８として、モバイルライト動作終了操作が操作者により操作部１３に入力されたか否かを判定し、モバイルライト動作終了操作が操作者により操作部１３に入力されていない（Ｎｏ）と判定したら、処理をステップＳ１４に進め、モバイルライト動作終了操作が操作者により操作部１３に入力された（Ｙｅｓ）と判定したら、処理をステップＳ１９に進める。
【００３８】
処理部２２は、ステップＳ１８でモバイルライト動作終了操作が操作者により操作部１３に入力された（Ｙｅｓ）と判定したら、ステップＳ１９として、モバイルライト４２を消灯させる。
【００３９】
処理部２２は、ステップＳ１２でモバイルライト動作開始操作が操作者により操作部１３に入力されていない（Ｎｏ）と判定したら又はステップＳ１９でモバイルライト４２を消灯させたら、ステップＳ２０として、撮影終了操作が操作者により操作部１３に入力されたか否かを判定する。処理部２２は、撮影終了操作が操作者により操作部１３に入力されていない（Ｎｏ）と判定したら、処理をステップＳ１２に進める。一方、処理部２２は、撮影終了操作が操作者により操作部１３に入力された（Ｙｅｓ）と判定したら、ステップＳ２２に処理を進める。
【００４０】
処理部２２は、ステップＳ２０で撮影終了操作が操作者により操作部１３に入力された（Ｙｅｓ）と判定したら、ステップＳ２２として、カメラ４０を制御して撮影を終了し、図４に示す処理を終了する。
【００４１】
以上の処理により、処理部２２は、撮影領域の明るさに基づいてモバイルライト４２の光量を制御することができる。これにより、被写体が白飛びした画像や被写体の色が変わった画像や被写体が黒潰れした画像を撮影してしまうことを少なくすることができる。また、モバイルライト４２の光量を撮影に適した明るさにすることで、無駄な電力の消費を低減することができる。
【００４２】
なお、ステップＳ１６でのモバイルライト４２の光量の制御では、処理部２２が、撮影領域の明るさが撮影に適する明るさになるように、モバイルライト４２の光量を一度に目標値まで変化させても良いし、少しずつ目標値まで変化させても良い。処理部２２がモバイルライト４２の光量を少しずつ目標値まで変化させる場合には、処理部２２がフレームレートに同期してモバイルライト４２の光量を少しずつ変化させても良い。その場合、処理部２２が、ステップＳ１４〜ステップＳ１８のループをフレームレートに同期して実行し、ステップＳ１６でモバイルライト４２の光量を少しずつ変化させれば良い。
【００４３】
また、処理部２２が、モバイルライト４２の光量の変化量をフレーム間で一定にするのではなく、フレームの進行とともに変化量を徐々に大きくするようにしてもよい。例えば、フレームレートが１５ｆｐｓの場合には、フレーム間隔は、約６７ｍｓ（＝１／１５）であるので、処理部２２が、６７ｍｓ毎にモバイルライト４２の光量の上げ下げを行い、例えば２０フレームでモバイルライト４２の光量を目標値に合わせるようにすればよい。なお、モバイルライト４２の光量を目標値に合わせるのに何フレームかけるかは、操作者により設定可能としても良いし、携帯電子機器１０固有の値としてもよい。これにより、被写体の明るさの変化を緩やかにすることができ、見易い画像を撮影することができる。
【００４４】
また、処理部２２が、ステップＳ１４で、カメラ４０によって撮影された画像に画像認識処理を実施し、画像内に所定サイズ以上の大きさの白い輝点を検出したら又は画像内にハレーションを検出したら、白い輝点又はハレーションがなくなるまでモバイルライト４２の光量を下げる制御を行うようにしてもよい。
【００４５】
また、処理部２２が、ステップＳ１２でモバイルライト動作開始操作が操作者により操作部１３に入力された（Ｙｅｓ）と判定したら、ステップＳ１３でモバイルライト４２を点灯させることとしているが、処理部２２が、カメラ４０のイメージセンサにより撮影領域の明るさを検知し、撮影領域の明るさが所定の明るさよりも暗い場合にモバイルライト４２を自動的に点灯させるようにしてもよい。
【００４６】
次に、図５を用いて携帯電子機器１０の動作、具体的には、カメラ４０による撮影時におけるモバイルライト４２の制御動作について説明する。図５は、カメラ４０による撮影時における携帯電子機器１０の第２の処理を示すフロー図である。携帯電子機器１０は、カメラ４０による撮影毎に図５に示す処理を実行する。
【００４７】
まず、処理部２２は、ステップＳ３２として、撮影開始操作が操作者により操作部１３に入力されたら、カメラ４０を制御して撮影を開始する。
【００４８】
次に、処理部２２は、ステップＳ３４として、モバイルライト動作開始操作が操作者により操作部１３に入力されたか否かを判定し、モバイルライト動作開始操作が操作者により操作部１３に入力された（Ｙｅｓ）と判定したら、処理をステップＳ３５に進め、モバイルライト動作開始操作が操作者により操作部１３に入力されていない（Ｎｏ）と判定したら、処理をステップＳ４２に進める。
【００４９】
処理部２２は、ステップＳ３４でモバイルライト動作開始操作が操作者により操作部１３に入力された（Ｙｅｓ）と判定したら、ステップＳ３５として、モバイルライト４２を動作させて点灯させる。
【００５０】
次に、処理部２２は、ステップＳ３６として、携帯電子機器１０と被写体との間の距離を検知する。処理部２２は、測距センサ４４により携帯電子機器１０と被写体との間の距離を検知することができる。図６−１及び図６−２は、携帯電子機器１０と被写体の例を示す図である。図６−１及び図６−２に示すように、携帯電子機器１０と被写体１１１との間の距離Ａ、Ｂは、測距センサ４４により検知することができる。なお、図６−１及び図６−２において、モバイルライト４２から被写体に向けて照射光１０１が出射されている。図６−１に示すように、携帯電子機器１０と被写体１１１との間の距離Ａが短いと、被写体１１１の画像が白飛びしたり、色が変わったりし易い。また、図６−２に示すように、携帯電子機器１０と被写体１１１との間の距離Ｂが長いと、十分な明るさが得られず、被写体が暗くなり易い。
【００５１】
なお、カメラ４０がＡＦ機構、好ましくはコンティニュアスＡＦ機構を備えている場合には、処理部２２は、カメラ４０のＡＦ機構のレンズ位置により被写体と携帯電子機器１０との間の距離を検知することができる。また、処理部２２は、測距センサ４４による測距結果とカメラ４０のＡＦ機構のレンズ位置による測距結果とを勘案して、携帯電子機器１０と被写体との間の距離を検知するようにしてもよい。例えば、処理部２２は、測距センサ４４による測距結果とコンティニュアスＡＦ機構による測距結果とを平均して、携帯電子機器１０と被写体との間の距離を算出するようにしてもよい。また、処理部２２は、測距センサ４４による測距結果とカメラ４０のＡＦ機構による測距結果の双方を受信し、受信した複数の測距結果のうちいずれかの測距結果に基づいて携帯電子機器１０と被写体との間の距離を算出するようにしてもよい。
【００５２】
再び図５を参照すると、処理部２２は、ステップＳ３８として、携帯電子機器１０と被写体との間の距離に基づいて、モバイルライト４２の光量を制御する。ここで、携帯電子機器１０と被写体との間の距離が短いほど白飛びが発生し易い。
【００５３】
図７−１及び図７−２は、携帯電子機器１０と被写体との間の距離と、モバイルライト４２の光量と、の関係を示す図である。図７−１及び図７−２において、モバイルライト４２の光量が最大発光光量Ｌ２である場合、携帯電子機器１０と被写体との間の距離がＤ１以下のときに白飛びが発生する。そこで、処理部２２は、携帯電子機器１０と被写体との間の距離がＤ１以下であれば、モバイルライト４２の光量を下げる制御を行う。
【００５４】
なお、このとき、処理部２２は、図７−１の線１２１のように、携帯電子機器１０と被写体との間の距離が短くなるにつれてモバイルライト４２の光量の下げ幅を徐々に増加させ、モバイルライト４２の光量を被写体の明るさが確保できる最小光量Ｌ１まで変化させても良い。その後、処理部２２は、携帯電子機器１０と被写体との間の距離が長くなったら、図７−１の線１２２のように、携帯電子機器１０と被写体との間の距離が長くなるにつれてモバイルライト４２の光量の上げ幅を徐々に増加させ、モバイルライト４２の光量を最大発光光量Ｌ２まで変化させても良い。つまり、処理部２２は、モバイルライト４２の光量の上げ下げの変化をヒステリシス状にしてもよい。これにより、被写体の明るさの変化を緩やかにすることができ、見易い画像を撮影することができる。また、モバイルライト４２の光量の最小値を０ではなく被写体の明るさが確保できる最小光量Ｌ１とすることで、携帯電子機器１０と被写体との間の距離が０であっても、被写体の明るさを確保することができる。
【００５５】
なお、図７−１及び図７−２に示す距離と光量の関係をテーブルとして記憶部２４に記憶させておき、処理部２２が、携帯電子機器１０と被写体との間の距離に対応する値を読み出して、モバイルライト４２の光量を制御するようにいてもよい。これにより、モバイルライト４２の制御を容易にすることができる。
【００５６】
また、処理部２２は、携帯電子機器１０と被写体との間の距離が短くなる場合、図７−１の線１２３のように、携帯電子機器１０と被写体との間の距離がＤ０になるまで、モバイルライト４２の光量をＬ２からＬ１まで線形に下げ、携帯電子機器１０と被写体との間の距離がＤ０以下ではモバイルライト４２の光量をＬ１とするようにしてもよい。また、処理部２２は、携帯電子機器１０と被写体との間の距離が長くなる場合、線１２３のように、携帯電子機器１０と被写体との間の距離がＤ０以下ではモバイルライト４２の光量をＬ１とし、携帯電子機器１０と被写体との間の距離がＤ０からＤ１までの間は、モバイルライト４２の光量をＬ１からＬ２まで線形に上げるようにしてもよい。これにより、モバイルライト４２の制御を容易にすることができる。また、モバイルライト４２の光量の最小値を０ではなく被写体の明るさが確保できる最小光量Ｌ１とすることで、携帯電子機器１０と被写体との間の距離が０であっても、被写体の明るさを確保することができる。
【００５７】
また、モバイルライト４２のドライバによっては、光量を階段状にしか変化させられない場合もある。その場合、処理部２２は、図７−２の線１３１のように、携帯電子機器１０と被写体との間の距離が短くなる場合、モバイルライト４２の光量をＬ２からＬ１まで階段状に下げるようにしてもよい。また、処理部２２は、図７−２の線１３２のように、携帯電子機器１０と被写体との間の距離が長くなる場合、モバイルライト４２の光量をＬ１からＬ２まで階段状に上げるようにしてもよい。このとき、処理部２２は、図７−２に示すように、線１３１と線１３２との間に差を設ける、つまり、モバイルライト４２の光量の上げ下げの変化をヒステリシス状にしてもよい。これにより、被写体の明るさの変化を緩やかにすることができ、見易い画像を撮影することができる。また、モバイルライト４２の光量の最小値を０ではなく被写体の明るさが確保できる最小光量Ｌ１とすることで、携帯電子機器１０と被写体との間の距離が０であっても、被写体の明るさを確保することができる。
【００５８】
再び図５を参照すると、処理部２２は、ステップＳ４０として、モバイルライト動作終了操作が操作者により操作部１３に入力されたか否かを判定し、モバイルライト動作終了操作が操作者により操作部１３に入力されていない（Ｎｏ）と判定したら、処理をステップＳ３６に進め、モバイルライト動作終了操作が操作者により操作部１３に入力された（Ｙｅｓ）と判定したら、処理をステップＳ４１に進める。
【００５９】
処理部２２は、ステップＳ４０でモバイルライト動作終了操作が操作者により操作部１３に入力された（Ｙｅｓ）と判定したら、ステップＳ４１として、モバイルライト４２を消灯させる。
【００６０】
処理部２２は、ステップＳ３４でモバイルライト動作開始操作が操作者により操作部１３に入力されていない（Ｎｏ）と判定したら又はステップＳ４１でモバイルライト４２を消灯させたら、ステップＳ４２として、撮影終了操作が操作者により操作部１３に入力されたか否かを判定する。処理部２２は、撮影終了操作が操作者により操作部１３に入力されていない（Ｎｏ）と判定したら、処理をステップＳ３４に進める。一方、処理部２２は、撮影終了操作が操作者により操作部１３に入力された（Ｙｅｓ）と判定したら、ステップＳ４４に処理を進める。
【００６１】
処理部２２は、ステップＳ４２で撮影終了操作が操作者により操作部１３に入力された（Ｙｅｓ）と判定したら、ステップＳ４４として、カメラ４０を制御して撮影を終了し、図５に示す処理を終了する。
【００６２】
以上の処理により、処理部２２は、携帯電子機器１０と被写体との間の距離に基づいてモバイルライト４２の光量を制御することができる。これにより、被写体が白飛びした画像や被写体の色が変わった画像を撮像してしまうことを少なくすることができる。また、モバイルライト４２の光量を撮影に適した明るさにすることで、無駄な電力の消費を低減することができる。
【００６３】
なお、ステップＳ３８でのモバイルライト４２の光量の制御では、処理部２２が、被写体の明るさが撮影に適する明るさになるように、モバイルライト４２の光量を一度に目標値まで変化させても良いし、少しずつ目標値まで変化させても良い。処理部２２がモバイルライト４２の光量を少しずつ目標値まで変化させる場合には、処理部２２がフレームレートに同期してモバイルライト４２の光量を少しずつ変化させても良い。その場合、処理部２２が、ステップＳ３６〜ステップＳ４０のループをフレームレートに同期して実行し、ステップＳ３８でモバイルライト４２の光量を少しずつ変化させれば良い。
【００６４】
また、処理部２２が、モバイルライト４２の光量の変化量をフレーム間で一定にするのではなく、フレームの進行とともに変化量を徐々に大きくするようにしてもよい。例えば、フレームレートが１５ｆｐｓの場合には、フレーム間隔は、約６７ｍｓであるので、処理部２２が、６７ｍｓ毎にモバイルライト４２の光量の上げ下げを行い、例えば２０フレームでモバイルライト４２の光量を目標値に合わせるようにすればよい。なお、モバイルライト４２の光量を目標値に合わせるのに何フレームかけるかは、操作者により設定可能としても良いし、携帯電子機器１０固有の値としてもよい。これにより、被写体の明るさの変化を緩やかにすることができ、見易い画像を撮影することができる。
【００６５】
また、処理部２２が、ステップＳ３４でモバイルライト動作開始操作が操作者により操作部１３に入力された（Ｙｅｓ）と判定したら、ステップＳ３５でモバイルライト４２を点灯させることとしているが、処理部２２が、カメラ４０のイメージセンサにより被写体の明るさを検知し、被写体の明るさが所定の明るさよりも暗い場合にモバイルライト４２を自動的に点灯させるようにしてもよい。
【００６６】
次に、図８を用いて携帯電子機器１０の動作、具体的には、カメラ４０による撮影時におけるモバイルライト４２の制御動作について説明する。図８は、カメラ４０による撮影時における携帯電子機器１０の第３の処理を示すフロー図である。携帯電子機器１０は、カメラ４０による撮影毎に図８に示す処理を実行する。
【００６７】
まず、処理部２２は、ステップＳ５２として、撮影開始操作が操作者により操作部１３に入力されたら、カメラ４０を制御して撮影を開始する。
【００６８】
次に、処理部２２は、ステップＳ５４として、モバイルライト動作開始操作が操作者により操作部１３に入力されたか否かを判定し、モバイルライト動作開始操作が操作者により操作部１３に入力された（Ｙｅｓ）と判定したら、処理をステップＳ５５に進め、モバイルライト動作開始操作が操作者により操作部１３に入力されていない（Ｎｏ）と判定したら、処理をステップＳ６２に進める。
【００６９】
処理部２２は、ステップＳ５４でモバイルライト動作開始操作が操作者により操作部１３に入力された（Ｙｅｓ）と判定したら、ステップＳ５５として、モバイルライト４２を動作させて点灯させる。
【００７０】
次に、処理部２２は、ステップＳ５６として、撮影領域の明るさ及び携帯電子機器１０と被写体との間の距離を検知する。より詳細には、処理部２２は、カメラ４０内のイメージセンサのシャッタースピード及びゲインの少なくとも一方により、撮影領域の明るさを検知する。処理部２２は、カメラ４０内のイメージセンサのシャッタースピードが速い場合には撮影領域の明るさが明るいと検知することができ、シャッタースピードが遅い場合には撮影領域の明るさが暗いと検知することができる。また、処理部２２は、カメラ４０内のイメージセンサのゲインが高い場合には撮影領域の明るさが明るいと検知することができ、ゲインが低い場合には撮影領域の明るさが暗いと検知することができる。
【００７１】
また、処理部２２は、測距センサ４４により携帯電子機器１０と被写体との間の距離を検知することができる。なお、カメラ４０がＡＦ機構、より好ましくはコンティニュアスＡＦ機構を備えている場合には、処理部２２は、カメラ４０のＡＦ機構のレンズ位置により被写体と携帯電子機器１０との間の距離を検知することができる。また、処理部２２は、測距センサ４４による測距結果とカメラ４０のＡＦ機構による測距結果とを勘案して、携帯電子機器１０と被写体との間の距離を検知するようにしてもよい。例えば、処理部２２は、測距センサ４４による測距結果とカメラ４０のＡＦ機構による測距結果とを平均して、携帯電子機器１０と被写体との間の距離を算出するようにしてもよい。また、処理部２２は、測距センサ４４による測距結果とカメラ４０のＡＦ機構による測距結果の双方を受信し、受信した複数の測距結果のうちいずれかの測距結果に基づいて携帯電子機器１０と被写体との間の距離を算出するようにしてもよい。
【００７２】
次に、処理部２２は、ステップＳ５８として、撮影領域の明るさ及び携帯電子機器１０と被写体との間の距離に基づいて、モバイルライト４２の光量を制御する。例えば、処理部２２は、画像全体が暗い場合には、被写体が白飛びしたり色が変わってしまったりし易いので、被写体の明るさが撮影に適する明るさになるように、モバイルライト４２の光量を下げる制御を行う。これにより、被写体が白飛びした画像や被写体の色が変わった画像を撮影してしまうことを少なくすることができる。また、処理部２２は、画像全体が明るい場合には、被写体が黒潰れし易いので、被写体の明るさが撮影に適する明るさになるように、モバイルライト４２の光量を上げる制御を行う。これにより、被写体が黒潰れした画像を撮影してしまうことを少なくすることができる。
【００７３】
また、処理部２２は、携帯電子機器１０と被写体との間の距離が短い場合には、図７−１又は図７−２に示すように、モバイルライト４２の光量を下げる制御を行う。また、処理部２２は、携帯電子機器１０と被写体との間の距離が長い場合には、図７−１又は図７−２に示すように、モバイルライト４２の光量を上げる制御を行う。なお、処理部２２は、被写体の明るさ及び携帯電子機器１０と被写体との間の距離を勘案して、モバイルライト４２の光量を制御するようにしてもよい。例えば、処理部２２は、携帯電子機器１０と被写体との間の距離に基づいて、大まかなモバイルライト４２の制御を行い、その後、撮影領域の明るさに基づいて、精細なモバイルライト４２の制御を行うようにしてもよい。
【００７４】
次に、処理部２２は、ステップＳ６０として、モバイルライト動作終了操作が操作者により操作部１３に入力されたか否かを判定し、モバイルライト動作終了操作が操作者により操作部１３に入力されていない（Ｎｏ）と判定したら、処理をステップＳ５６に進め、モバイルライト動作終了操作が操作者により操作部１３に入力された（Ｙｅｓ）と判定したら、処理をステップＳ６１に進める。
【００７５】
処理部２２は、ステップＳ６０でモバイルライト動作終了操作が操作者により操作部１３に入力された（Ｙｅｓ）と判定したら、ステップＳ６１として、モバイルライト４２を消灯させる。
【００７６】
処理部２２は、ステップＳ５４でモバイルライト動作開始操作が操作者により操作部１３に入力されていない（Ｎｏ）と判定したら又はステップＳ６１でモバイルライト４２を消灯させたら、ステップＳ６２として、撮影終了操作が操作者により操作部１３に入力されたか否かを判定する。処理部２２は、撮影終了操作が操作者により操作部１３に入力されていない（Ｎｏ）と判定したら、処理をステップＳ５４に進める。一方、処理部２２は、撮影終了操作が操作者により操作部１３に入力された（Ｙｅｓ）と判定したら、ステップＳ６４に処理を進める。
【００７７】
処理部２２は、ステップＳ６２で撮影終了操作が操作者により操作部１３に入力された（Ｙｅｓ）と判定したら、ステップＳ６４として、カメラ４０を制御して撮影を終了し、図８に示す処理を終了する。
【００７８】
なお、ステップＳ５８でのモバイルライト４２の光量の制御では、処理部２２が、撮影領域の明るさが撮影に適する明るさになるように、モバイルライト４２の光量を一度に目標値まで変化させても良いし、少しずつ目標値まで変化させても良い。処理部２２がモバイルライト４２の光量を少しずつ目標値まで変化させる場合には、処理部２２がフレームレートに同期してモバイルライト４２の光量を少しずつ変化させても良い。その場合、処理部２２が、ステップＳ５６〜ステップＳ６０のループをフレームレートに同期して実行し、ステップＳ５８でモバイルライト４２の光量を少しずつ変化させれば良い。
【００７９】
また、処理部２２が、モバイルライト４２の光量の変化量をフレーム間で一定にするのではなく、フレームの進行とともに変化量を徐々に大きくするようにしてもよい。例えば、フレームレートが１５ｆｐｓの場合には、フレーム間隔は、約６７ｍｓであるので、処理部２２が、６７ｍｓ毎にモバイルライト４２の光量の上げ下げを行い、例えば２０フレームでモバイルライト４２の光量を目標値に合わせるようにすればよい。なお、モバイルライト４２の光量を目標値に合わせるのに何フレームかけるかは、操作者により設定可能としても良いし、携帯電子機器１０固有の値としてもよい。これにより、被写体の明るさの変化を緩やかにすることができ、見易い画像を撮影することができる。
【００８０】
また、処理部２２が、ステップＳ５６で、カメラ４０によって撮影された画像に画像認識処理を実施し、画像内に所定サイズ以上の大きさの白い輝点を検出したら又は画像内にハレーション部分を検出したら、白い輝点又はハレーションがなくなるまでモバイルライト４２の光量を下げる制御を行うようにしてもよい。
【００８１】
また、処理部２２が、ステップＳ５４でモバイルライト動作開始操作が操作者により操作部１３に入力された（Ｙｅｓ）と判定したら、ステップＳ５５でモバイルライト４２を点灯させることとしているが、処理部２２が、カメラ４０のイメージセンサにより撮影領域の明るさを検知し、撮影領域の明るさが所定の明るさよりも暗い場合にモバイルライト４２を自動的に点灯させるようにしてもよい。
【００８２】
以上の処理により、処理部２２は、撮影領域の明るさ及び携帯電子機器１０と被写体との間の距離に基づいてモバイルライト４２の光量を制御することができる。これにより、被写体が白飛びした画像や被写体の色が変わった画像や被写体が黒潰れした画像を撮影してしまうことを少なくすることができる。また、モバイルライト４２の光量を撮影に適した明るさにすることで、無駄な電力の消費を低減することができる。
【００８３】
なお、処理部２２は、撮影領域の明るさ（画像の明るさ）の検出の処理と被写体との間の距離の検出の処理とを、カメラ制御部２２ａ、モバイルライト制御部２２ｂのいずれで行っても良い。また、処理部２２は、これらの検出の処理のみを実行する制御部を別途設けても良い。
【符号の説明】
【００８４】
１０  携帯電子機器
１０Ｃ  筐体
１２  ディスプレイ
１３  操作部
１３Ａ  操作キー
１３Ｂ  方向キー及び決定キー
１５  マイク
１６  レシーバ
１７  スピーカ
２２  処理部
２２ａ  カメラ制御部
２２ｂ  モバイルライト制御部
２２ｃ  測距センサ制御部
２２ｄ  画像処理部
２４  記憶部
３０  音声処理部
３２  表示部
４０  カメラ
４２  モバイルライト
４４  測距センサ
【図１】
2014187663.tif 000003
【図２】
2014187663.tif 000004
【図３】
2014187663.tif 000005
【図４】
2014187663.tif 000006
【図５】
2014187663.tif 000007
【図６−１】
2014187663.tif 000008
【図６−２】
2014187663.tif 000009
【図７−１】
2014187663.tif 000010
【図７−２】
2014187663.tif 000011
【図８】
2014187663.tif 000012